(57)【特許請求の範囲】
【請求項１】
熱媒加熱用の燃焼式加熱装置と、前記燃焼式加熱装置の燃焼により熱媒を加熱する第１熱交換器を有する熱媒循環回路と、浴槽内の浴槽水が循環される浴槽水循環回路と、前記熱媒循環回路を通流する熱媒と前記浴槽水循環回路を通流する浴槽水とを熱交換させて前記浴槽水を加熱する第２熱交換器とを備える風呂装置において、
前記燃焼式加熱装置の投入熱量を制御する投入熱量制御手段を備え、
前記投入熱量制御手段は、前記燃焼式加熱装置を作動させ前記熱媒循環回路に熱媒を循環させると共に前記浴槽水循環回路に浴槽水を循環させて浴槽水を追焚きする追焚き運転における初期追焚き期間に、前記燃焼式加熱装置への投入熱量を、前記追焚き運転の通常追焚き期間の通常投入熱量よりも多い投入熱量である初期投入熱量に制御し、
前記浴槽への出力熱量を前記燃焼式加熱装置への投入熱量で除算した追焚き効率を導出する追焚き効率導出手段を備え、
前記投入熱量制御手段は、前記追焚き効率導出手段にて導出された追焚き効率の上昇率が、初期追焚き期間終了判定上昇率を下回った時点を前記初期追焚き期間の終了時点とする風呂装置。 
【発明の詳細な説明】
【技術分野】
【０００１】
本発明は、熱媒加熱用の燃焼式加熱装置と、前記燃焼式加熱装置の燃焼により熱媒を加熱する第１熱交換器を有する熱媒循環回路と、浴槽内の浴槽水が循環される浴槽水循環回路と、前記熱媒循環回路を通流する熱媒と前記浴槽水循環回路を通流する浴槽水とを熱交換させて前記浴槽水を加熱する第２熱交換器とを備える風呂装置に関する。
【背景技術】
【０００２】
従来、所謂、間接加熱式の風呂装置にあっては、特許文献１に示すように、熱交換器の熱交換効率は、熱媒温度が高いほど熱効率が低下する傾向にある点、及び熱媒温度が高くなるほど放熱量が大きく効率が低下する傾向にある点に鑑みて、上述した間接加熱式の風呂装置にて浴槽に貯留される浴槽水の追焚き運転を実行する際に、熱媒循環回路を循環する熱媒を高温設定温度にまで加熱して昇温させた後に浴槽水と熱交換器させる形態で追焚き運転を実行する高温モードと、熱媒を高温設定温度よりも低い低温設定温度にまで加熱して昇温させた後に浴槽水と熱交換させる形態で追焚き運転を実行する低温モードとを切り換え可能に構成されている風呂装置が知られている。
即ち、当該特許文献１に開示の技術にあっては、高温設定温度よりも低い低温設定温度にまで熱媒を加熱し昇温させる低温モードでも追焚き運転を実行可能に構成されていた。
【先行技術文献】
【特許文献】
【０００３】
【特許文献１】特開２０１３−２５７０９１号公報
【発明の概要】
【発明が解決しようとする課題】
【０００４】
ところで、本発明の発明者らは、鋭意研究の結果、間接加熱式の風呂装置において、追焚き運転を実行する場合、図４に示すように、追焚き運転の開始直後は、熱効率（図４で瞬時効率）が低いという知見を得た。図４に基づいて説明を追加すると、追焚き運転が開始された直後（特に、追焚き運転開始時点から３０秒〜６０秒程度までの間）は、熱効率（瞬時効率）がほぼ４０％未満であり、改善の余地があるという知見を得た。
ここで、熱効率（瞬時効率）は、浴槽に貯留される浴槽水への出力熱量（浴槽往き温度と浴槽戻り温度の温度差×単位時間当たりの浴槽水循環流量）を燃焼式加熱装置への投入熱量（燃焼式加熱装置へ単位時間当たりで供給されるガスの熱量）で除算して導出したものである。
そして、少なくとも、上述した特許文献１に開示の技術にあっては、当該課題の認識はなく、それを解決する技術に関するものではなかった。
【０００５】
本発明は、上述の課題に鑑みてなされたものであり、その目的は、特に、間接加熱式の風呂装置において、特に追焚き運転開始直後での熱効率を向上させて、追焚き運転の効率を改善できる風呂装置を提供する点にある。
【課題を解決するための手段】
【０００６】
上記目的を達成するための本発明の風呂装置は、
熱媒加熱用の燃焼式加熱装置と、前記燃焼式加熱装置の燃焼により熱媒を加熱する第１熱交換器を有する熱媒循環回路と、浴槽内の浴槽水が循環される浴槽水循環回路と、前記熱媒循環回路を通流する熱媒と前記浴槽水循環回路を通流する浴槽水とを熱交換させて前記浴槽水を加熱する第２熱交換器とを備える風呂装置であって、その特徴構成は、
前記燃焼式加熱装置の投入熱量を制御する投入熱量制御手段を備え、
前記投入熱量制御手段は、前記燃焼式加熱装置を作動させ前記熱媒循環回路に熱媒を循環させると共に前記浴槽水循環回路に浴槽水を循環させて浴槽水を追焚きする追焚き運転における初期追焚き期間に、前記燃焼式加熱装置への投入熱量を、前記追焚き運転の通常追焚き期間の通常投入熱量よりも多い投入熱量である初期投入熱量に制御し、
前記浴槽への出力熱量を前記燃焼式加熱装置への投入熱量で除算した追焚き効率を導出する追焚き効率導出手段を備え、
前記投入熱量制御手段は、前記追焚き効率導出手段にて導出された追焚き効率の上昇率が、初期追焚き期間終了判定上昇率を下回った時点を前記初期追焚き期間の終了時点とする点にある。 
【０００７】
本発明の発明者らが鋭意研究した結果、図４に示されるように、第２熱交換器（追焚き熱交換器）の熱交換熱量の立ち上がりが、第１熱交換器（顕熱熱交換器）における熱交換熱量の立ち上がりに比べて遅れている点に着目し、当該第２熱交換器（追焚き熱交換器）の熱交換熱量の立ち上がりを早めることで、追焚き運転の熱効率（瞬時効率）を改善できるという着想を得た。
上記特徴構成によれば、燃焼式加熱装置の投入熱量を制御する投入熱量制御手段が、追焚き運転の初期追焚き期間に、燃焼式加熱装置による投入熱量を、追焚き運転の通常追焚き期間の通常投入熱量よりも多い投入熱量である初期投入熱量に制御するから、初期追焚き期間における第２熱交換器（追焚き熱交換器）の熱交換熱量を増加でき、追焚き運転の熱効率（瞬時効率）を向上できる。
【０００９】
更に、上記特徴構成によれば、投入熱量制御手段は、浴槽への出力熱量を燃焼式加熱装置への投入熱量で除算した追焚き効率の上昇率が、予め計算され記憶部に記憶される初期追焚き期間判定上昇率を下回った時点を初期追焚き期間の終了時点とするから、初期投入熱量の増加による熱媒温度の増加により、熱交換器での熱交換率が低下したり、放熱ロスが増加したりすることを抑制し、追焚き運転の熱効率（瞬時効率）を高めることができる。 
【図面の簡単な説明】
【００１２】
【図１】本発明の風呂装置の概略構成図
【図２】追焚き運転、低温暖房運転、高温暖房運転の並列運転に係るフロー図
【図３】追焚き運転における初期投入熱量の制御に係るフロー図
【図４】追焚き運転時におけるガス入力や熱交換器での出力を示すグラフ図
【発明を実施するための形態】
【００１３】
本発明は、所謂、間接加熱方式の風呂装置において、特に、間接加熱式の風呂装置１００において、特に追焚き運転開始直後での熱効率を向上させて、追焚き運転の効率を改善できるものに関する。以下、本発明の実施形態を図面に基づいて説明する。
風呂装置１００は、暖房端末ＨＵ、ＬＵに熱を供給すると共に浴槽１０及び給湯栓３３に温度調整した湯水を供給すべく、熱媒及び湯水を供給可能な熱源機Ｇと、当該熱源機Ｇの運転を制御する運転制御部Ｃと、その運転制御部Ｃに各種運転指令を指令するメインリモコンＲ１及び浴室リモコンＲ２とを備えて構成されている。
ちなみに、メインリモコンＲ１は炊事場の近傍に設置され、浴室リモコンＲ２は浴槽１０が設置された浴室内に設けられている。
【００１４】
〔熱源機に係る構成〕
図１に示すように、熱源機Ｇは、ケーシング５１により外囲されるものであり、一般家庭用の水道管に接続された給水路Ｌ２からの水をガス燃焼式の給湯用バーナｇ１により加熱して、加熱後の湯水を給湯栓３３や浴槽１０へ供給する給湯用加熱部Ｈ１と、ガス燃焼式の熱媒加熱用バーナｇ２により高温暖房端末ＨＵ、及び低温暖房端末ＬＵへ循環供給する熱媒や浴槽１０の内部に貯留される浴槽水を追焚きする熱媒を加熱する熱媒加熱部Ｈ２（燃焼式加熱装置の一例）とを備えて構成されている。ちなみに、高温暖房端末ＨＵとしては浴室暖房乾燥機が、低温暖房端末ＬＵとしては床暖房装置が設けられている。
【００１５】
図１に示すように、給湯用加熱部Ｈ１に備えられる給湯用バーナｇ１には、一般家庭用の燃料ガス（例えば、都市ガス１３Ａ）を供給する第１ガス供給路２１ａが接続されており、熱媒加熱部Ｈ２に備えられる熱媒加熱用バーナｇ２にも、燃料ガスを供給する第２ガス供給路２１ｂが接続されている。第１ガス供給路２１ａ及び第２ガス供給路２１ｂの夫々には、図１に示すように、燃料ガスの供給を断続する開閉弁Ｖ１、Ｖ３と、燃料ガス供給量を調整する電磁式のガス比例弁Ｖ２、Ｖ４が夫々設けられている。また、給湯用加熱部Ｈ１及び熱媒加熱部Ｈ２には、給湯用バーナｇ１及び熱媒加熱用バーナｇ２の夫々に、燃焼用空気を供給する燃焼用ファン１２ａ、１２ｂが設けられている。
尚、図示は省略するが、給湯用バーナｇ１及び熱媒加熱用バーナｇ２の近傍には、点火用のイグナイタ及び着火を検出するフレームロッドが設けられている。
給湯用加熱部Ｈ１及び熱媒加熱部Ｈ２には、図１に示すように、バーナｇ１、ｇ２の燃焼排ガスの顕熱を主に回収する主熱交換器ＥＸ１、ＥＸ３と、潜熱を主に回収する副熱交換器ＥＸ２、ＥＸ４とを備えて構成されている。ここで、主熱交換器ＥＸ１、ＥＸ３と副熱交換器ＥＸ２、ＥＸ４とは、給湯用バーナｇ１及び熱媒加熱用バーナｇ２から排気路２２へ向かう燃焼排ガスの流動方向において、副熱交換器ＥＸ２、ＥＸ４が主熱交換器ＥＸ１、ＥＸ３よりも下流側に位置する状態で配設されている。尚、本発明にあっては、熱媒加熱部Ｈ２に設けられる主熱交換器ＥＸ３（顕熱熱交換器の一例）と副熱交換器ＥＸ４（潜熱熱交換器の一例）とが第１熱交換器として機能する。
これにより、給湯用加熱部Ｈ１においては、湯水が、副熱交換器ＥＸ２にて主として給湯用バーナｇ１の燃焼排ガスの潜熱により加熱された後、主熱交換器ＥＸ１にて主として給湯用バーナｇ１の燃焼排ガスの顕熱により加熱される。また、熱媒加熱部Ｈ２においては、熱媒が、副熱交換器ＥＸ４にて主として熱媒加熱用バーナｇ２の燃焼排ガスの潜熱により加熱された後、主熱交換器ＥＸ３にて主として熱媒加熱用バーナｇ２の燃焼排ガスの顕熱により加熱される。
【００１６】
給湯用加熱部Ｈ１の副熱交換器ＥＸ２及び熱媒加熱部Ｈ２の副熱交換器ＥＸ４からは、燃焼生成水である酸性の凝縮水、即ち、ドレンが生成するが、当該ドレンはドレンパン２３に集められ中和器２４にて中和された後、ドレンタンク２５に貯留されるように構成されている。ドレンタンク２５には、ドレンの貯留量が上限貯留量以上であることを検出するドレンセンサＳ１が設けられおり、当該ドレンセンサＳ１にてドレンの貯留量が上限貯留量以上であることが検出されると、ドレン排水ポンプＰ３が作動し、ドレンタンク２５に貯留されているドレンが、排水管Ｌ１の排出口１２を介して、浴室の床面に設けられた排水口１３から外部に排出されるように構成されている。ちなみに、排水管Ｌ１のうち熱源機Ｇの外部（ケーシング５１の外側）に位置する部分は、後述する浴槽戻り路Ｌ７のうち、熱源機Ｇの外側に配設される浴槽戻り外管Ｌ７ｂの内部に配設されている。
【００１７】
〔給湯に係る構成〕
給水路Ｌ２が、給湯用加熱部Ｈ１の副熱交換器ＥＸ２の入口に接続され、一端に給湯栓３３を有する給湯路Ｌ４の他端が、給湯用加熱部Ｈ１における主熱交換器ＥＸ１の出口に接続されている。これにより、給水路Ｌ２から供給される湯水は、副熱交換器ＥＸ２及び主熱交換器ＥＸ１にて順に加熱された後、給湯路Ｌ４を介して給湯栓３３から供給される。
【００１８】
給水路Ｌ２には、給水温度を検出する給水サーミスタＳ７と給水流量を検出する流量センサＳ８とが設けられ、給水路Ｌ２における給水サーミスタＳ７及び流量センサＳ８よりも下流側の箇所が、主熱交換器ＥＸ１及び副熱交換器ＥＸ２を迂回する給水バイパス路Ｌ３にて、給湯路Ｌ４に接続されている。
給湯路Ｌ４には、給水バイパス路Ｌ３の接続箇所よりも上流側に、主熱交換器ＥＸ１からの湯水温度を検出する出湯サーミスタＳ４が設けられ、給湯路Ｌ４における給水バイパス路Ｌ３の接続箇所よりも下流側には、上流側から順に、給湯としての湯水温度を検出する給湯サーミスタＳ６、湯水流量を調整可能な比例弁Ｖ９、一般給湯の割り込みを検出する割り込み検出用水量センサＳ９が設けられている。
また、給湯路Ｌ４と給水バイパス路Ｌ３との接続箇所には、主熱交換器ＥＸ１からの湯水流量と給水バイパス路Ｌ３からの湯水流量との混合比を調整可能なミキシング弁Ｖ１１が設けられている。
以上より、各サーミスタ及び流量センサの出力に基づいて、給水バイパス路Ｌ３を通流する流量が調整される形態で、給湯温度がメインリモコンＲ１にて設定される目標給湯温度に調整され、給湯栓３３から給湯される。
【００１９】
〔熱媒循環に係る構成〕
熱媒循環回路は、熱媒加熱部Ｈ２の主熱交換器ＥＸ３の出口から流出した熱媒を、熱媒と浴槽１０に貯留される浴槽水とを熱交換する追焚き熱交換器ＥＸ５（第２熱交換器の一例）に通過させ熱媒加熱部Ｈ２の副熱交換器ＥＸ４の入口へ戻す追焚き回路Ｃ１と、熱媒加熱部Ｈ２の主熱交換器ＥＸ３の出口から流出した熱媒を高温暖房端末ＨＵを通過させ熱媒加熱部Ｈ２の副熱交換器ＥＸ４の入口へ戻す高温暖房回路Ｃ２と、熱媒加熱部Ｈ２の主熱交換器ＥＸ３の出口から流出した熱媒を追焚き熱交換器ＥＸ５と高温暖房端末ＨＵとをバイパス状態で熱媒加熱部Ｈ２の副熱交換器ＥＸ４の出口へ導く熱媒バイパス路Ｌ９と、熱媒加熱部Ｈ２の主熱交換器ＥＸ３の出口から流出した熱媒を熱媒バイパス路Ｌ９を介して低温暖房端末ＬＵを通過させ熱媒加熱部Ｈ２の副熱交換器ＥＸ４の入口へ戻す低温暖房回路Ｃ３とを備えている。
熱媒バイパス路Ｌ９には、熱媒のバイパス流量を調整可能なバイパス用熱動弁Ｖ１２が設けられ、追焚き回路Ｃ１には、追焚き熱交換器ＥＸ５を通過する熱媒流量を調整可能な追焚き用熱動弁Ｖ８が設けられ、高温暖房回路Ｃ２には、高温暖房端末ＨＵを通過する熱媒流量を調整可能な高温暖房用熱動弁Ｖ１０が設けられ、低温暖房回路Ｃ３には、低温暖房端末ＬＵを通過する熱媒流量を調整可能な低温暖房用熱動弁Ｖ１３が設けられている。
また、熱媒加熱部Ｈ２の副熱交換器ＥＸ４の出口と主熱交換器ＥＸ３の入口との間には、熱媒を副熱交換器ＥＸ４から主熱交換器ＥＸ３の側へ圧送する熱媒循環ポンプＰ２が設けられている。
更に、熱媒加熱部Ｈ２の主熱交換器ＥＸ３の出口には、当該出口から流出する湯水温度を検出する第１熱媒サーミスタＳ３が設けられると共に、図示は省略するが低温暖房端末ＬＵ及び高温暖房端末ＨＵの内部には、自身を通過した熱媒の温度を検出する高温暖房サーミスタ及び低温暖房サーミスタが夫々備えられている。
尚、熱媒加熱部Ｈ２の副熱交換器ＥＸ４への入口には、熱媒の膨張を吸収可能な膨張タンク５０が設けられている。
【００２０】
〔追焚きに係る構成〕
追焚き熱交換器ＥＸ５の湯水出口と浴槽１０の側壁部下方側に装着された循環アダプタ１１とが、浴槽往き路Ｌ８にて接続され、循環アダプタ１１と追焚き熱交換器ＥＸ５の湯水入口とが、浴槽戻り路Ｌ７にて接続され、その浴槽戻り路Ｌ７に、浴槽１０の湯水を吸引して追焚き熱交換器ＥＸ５へ送出する浴槽水循環ポンプＰ１が設けられている。
説明を追加すると、浴槽往き路Ｌ８が、熱源機Ｇの内部に位置する浴槽往き内管Ｌ８ａと、熱源機Ｇから外部へ延出されて、循環アダプタ１１の往き用接続部１１ａに接続される浴槽往き外管Ｌ８ｂとから構成され、また、浴槽戻り路Ｌ７が、熱源機Ｇの内部に位置する浴槽戻り内管Ｌ７ａと、熱源機Ｇから外部へ延出されて、循環アダプタ１１の戻り用接続部１１ｂに接続される浴槽戻り外管Ｌ７ｂとから構成されている。
浴槽戻り路Ｌ７には、上流側から順に、浴槽戻り路Ｌ７の内部の湯水の圧力を検出することによって浴槽１０内の水位を検出する水位センサＳ１０、浴槽１０から戻る浴槽水の温度を検出する浴槽戻りサーミスタＳ２、浴槽戻り路Ｌ７を開閉する電磁式の開閉弁Ｖ７、上述した浴槽水循環ポンプＰ１、及び水流スイッチ４１が設けられている。
また、浴槽往き路Ｌ８には、浴槽１０に供給される湯水の温度を検出する浴槽往きサーミスタＳ５が設けられている。
【００２１】
〔湯張りに係る構成〕
給湯路Ｌ４における比例弁Ｖ９と割り込み検出用水量センサＳ９との間の箇所から、給湯路Ｌ４からの湯水を浴槽１０へ供給するための湯張り路Ｌ５が分岐されて、その湯張り路Ｌ５が、浴槽戻り路Ｌ７における浴槽水循環ポンプＰ１と水流スイッチ４１との間に接続されている。当該湯張り路Ｌ５には、上流側から順に、湯張り路Ｌ５を開閉する電磁式の開閉弁Ｖ５と、湯張り路Ｌ５に連通する空気層形成用ホッパ４０と、逆止弁４２とが設けられている。
空気層形成用ホッパ４０には、湯水を排水する排水路Ｌ６と、当該排水路Ｌ６を開閉する電磁式の排水弁Ｖ６とが設けられ、排水路Ｌ６の下流側端部が浴槽戻り路Ｌ７における開閉弁Ｖ７と浴槽水循環ポンプＰ１との間に接続されている。
従って、開閉弁Ｖ５を開弁すると、給湯用加熱部Ｈ１にて加熱され湯張り路Ｌ５を介して供給される湯水が、浴槽戻り路Ｌ７に供給され、浴槽戻り路Ｌ７に供給された湯水が浴槽１０側と追焚き熱交換器ＥＸ５側の両側に向けて分流する形態で供給されることになる。即ち、湯張り路Ｌ５を介して供給される湯水は、浴槽往き路Ｌ８及び浴槽戻り路Ｌ７の両方を介して浴槽１０に供給される。
【００２２】
〔熱源機の運転制御〕
熱源機Ｇは、上述した機器類を装備するものであって、上述の説明から明らかなように、加熱した湯水を給湯栓３３に供給する給湯処理、加熱した湯水を浴槽１０へ供給する湯張り処理、加熱した熱媒を暖房端末ＨＵ、ＬＵへ循環供給する端末加熱処理、及び浴槽１０内の浴槽水を加熱する追焚き処理、並びにドレン排水処理を行うように構成されている。
【００２３】
即ち、運転制御部Ｃが、後述する如く、メインリモコンＲ１や浴室リモコンＲ２の指令情報、及びケーシング５１の内部に装備したセンサ類の検出情報に基づいて、ケーシング５１の内部に装備した機器類を作動させて、給湯処理に対応する給湯運転、湯張り処理に対応する自動湯張り運転、自動湯張り運転に続いて行う保温運転、浴槽１０に追加で湯張り給湯する足し湯運転、端末加熱処理に対応する暖房運転、及び追焚き処理に対応する追焚き運転、並びに、ドレン排水処理に対応するドレン排水運転を実行するように構成されている。
【００２４】
〔リモコンに係る構成〕
メインリモコンＲ１及び浴室リモコンＲ２は、同様に構成されるものであり、以下、メインリモコンＲ１を代表にして説明する。
図１に示すように、メインリモコンＲ１には、運転の開始と停止を指令する運転スイッチＳｗ１、自動湯張り運転指令を指令する風呂自動スイッチＳｗ２、給湯温度を設定する給湯温度設定スイッチＳｗ３、設定湯張り温度としての目標湯張り温度を設定する浴槽温度設定スイッチＳｗ４、浴槽１０の浴槽水の目標水位を設定する水位設定スイッチＳｗ５、浴槽１０に追加で湯張り給湯する足し湯スイッチＳｗ６、追焚き運転指令をする追焚きスイッチＳｗ７、設定温度等の各種情報を表示する表示部８１、暖房運転の開始を指令する暖房運転スイッチＳｗ８、及び湯張りが終了したこと等を報知する報知装置８２等が設けられている。
【００２５】
尚、ここで、追焚き運転、低温暖房運転、高温暖房運転、及びそれらを並列に実行する並列運転に関し、熱媒循環回路側の制御について説明を加える。
〔追焚き運転〕
運転制御部Ｃは、追焚きスイッチＳｗ７がＯＮされ、追焚き運転、低温暖房運転、及び高温暖房運転のうち、追焚き運転のみを実行する場合、所定の温度（例えば、８０℃）の熱媒を所定の流量で追焚き熱交換器ＥＸ５へ通流させるべく、熱媒循環ポンプＰ２を作動させ、熱媒加熱部Ｈ２を作動状態にし、追焚き用熱動弁Ｖ８を所定の開度に制御する。
このとき、運転制御部Ｃは、高温暖房用熱動弁Ｖ１０、低温暖房用熱動弁Ｖ１３、及びバイパス用熱動弁Ｖ１２を全閉とする。
【００２６】
〔高温暖房運転〕
運転制御部Ｃは、暖房運転スイッチＳｗ８がＯＮされ、追焚き運転、低温暖房運転、及び高温暖房運転のうち、高温暖房運転のみを実行する場合、所定の温度（例えば、８０℃）の熱媒を所定の流量で高温暖房端末ＨＵへ通流させるべく、熱媒循環ポンプＰ２を作動させ、熱媒加熱部Ｈ２を作動状態にし、高温暖房用熱動弁Ｖ１０を所定の開度に制御する。
このとき、運転制御部Ｃは、追焚き用熱動弁Ｖ８、低温暖房用熱動弁Ｖ１３、及びバイパス用熱動弁Ｖ１２を全閉とする。
〔低温暖房運転〕
運転制御部Ｃは、暖房運転スイッチＳｗ８がＯＮされ、追焚き運転、低温暖房運転、及び高温暖房運転のうち、低温暖房運転のみを実行する場合、所定の温度（例えば、６０℃）の熱媒を所定の流量で低温暖房端末ＬＵへ通流させるべく、熱媒循環ポンプＰ２を作動させ、熱媒加熱部Ｈ２を作動状態にし、低温暖房用熱動弁Ｖ１３を所定の開度に制御すると共に、バイパス用熱動弁Ｖ１２を所定の開度に制御する。
このとき、運転制御部Ｃは、追焚き用熱動弁Ｖ８、高温暖房用熱動弁Ｖ１０を全閉とする。
〔並列運転〕
運転制御部Ｃは、上述したように、追焚き運転、低温暖房運転、高温暖房運転の夫々を独立で実行する際には、熱媒循環回路に設けられる各熱動弁を上述の如く制御するのであるが、比較的高温の熱媒が必要であると共に熱が不足した場合に使用者の使用感が直接的に損なわれる虞のある追焚き運転及び高温暖房運転の少なくとも何れか一方と、低温暖房運転とが並列に実行される場合、追焚き運転と高温暖房運転のうち実行状態にある運転の熱量を不足させない状態で低温暖房運転をも実行すべく、以下の如く、各熱動弁の制御を実行する。ここで、並列運転に係る制御は、上述の追焚き運転、低温暖房運転、及び高温暖房運転に係る制御と並列（同時）に実行されるものとし、個別の制御よりも、当該並列運転に係る制御が優先的に実行されるものとする。
尚、以下の説明では、理解を容易にすべく、運転制御部Ｃによる各熱動弁の制御を中心に説明する。
【００２７】
運転制御部Ｃは、追焚きスイッチＳｗ７、低温暖房運転及び高温暖房運転に係る暖房運転スイッチＳｗ８の何れかがＯＮされている場合、図２に示す並列運転に係る制御を実行し続ける。
運転制御部Ｃは、高温暖房に係る暖房運転スイッチＳｗ８がＯＮしている場合（♯０１）、高温暖房用熱動弁Ｖ１０を所定の開度に制御する（♯０２）。一方、高温暖房に係る暖房運転スイッチＳｗ８がＯＮしていない場合（♯０１）、それ以降の♯０２〜♯０６のステップは実行しない。
【００２８】
運転制御部Ｃは、低温暖房に係る暖房運転スイッチＳｗ８がＯＮしている場合（♯０３）、低温暖房用熱動弁Ｖ１３を所定の開度に制御する（♯０４）。更に、運転制御部Ｃは、低温暖房運転よりも優先度の高い高温暖房運転への熱供給の不足を防止するべく、高温暖房端末ＨＵに設けられ高温暖房端末ＨＵの出口の熱媒温度を検出する高温暖房サーミスタ（図示せず）の検出温度と、予め定められ記憶部（図示せず）に記憶されている所定の第１判定閾値（例えば、５５℃）との温度差が大きいほど（所定の第１判定閾値に比べて高温暖房サーミスタの検出温度が低いほど）、バイパス用熱動弁Ｖ１２の開度を低下側へ制御する（♯０５）。
一方、運転制御部Ｃは、低温暖房に係る暖房運転スイッチＳｗ８がＯＮしていない場合（♯０３）、バイパス用熱動弁Ｖ１２の開度を零へ制御する（♯０６）。
【００２９】
更に、運転制御部Ｃは、これら♯０１〜♯０６の制御に並列して、以下の♯０７〜♯１２の制御を実行する。
運転制御部Ｃは、追焚きスイッチＳｗ７がＯＮしている場合（♯０７）、追焚き用熱動弁Ｖ８を所定の開度に制御する（♯０７）。一方、追焚きスイッチＳｗ７がＯＮしていない場合（♯０７）、それ以降の♯０８〜♯１２のステップは実行しない。
【００３０】
運転制御部Ｃは、低温暖房に係る暖房運転スイッチＳｗ８がＯＮしている場合（♯０９）、低温暖房用熱動弁Ｖ１３を所定の開度に制御する（♯１０）。更に、運転制御部Ｃは、低温暖房運転よりも優先度の高い追焚き運転への熱供給の不足を防止するべく、追焚き熱交換器ＥＸ５に設けられ追焚き熱交換器ＥＸ５の出口の熱媒温度を検出する第２熱媒サーミスタＳ１１の検出温度と、予め定められ記憶部（図示せず）に記憶されている所定の第２判定閾値との温度差が大きいほど（所定の第２判定閾値に比べて第２熱媒サーミスタＳ１１の検出温度が低いほど）、バイパス用熱動弁Ｖ１２の開度を低下側へ制御する（♯１１）。
一方、運転制御部Ｃは、低温暖房に係る暖房運転スイッチＳｗ８がＯＮしていない場合（♯０９）、バイパス用熱動弁Ｖ１２の開度を零へ制御する（♯１１）。
【００３１】
運転制御部Ｃは、上述した♯０１〜♯１２のステップを、追焚きスイッチＳｗ７、低温暖房運転及び高温暖房運転に係る暖房運転スイッチＳｗ８のすべてがＯＦＦになるまで、繰り返し実行する（♯１３）。
【００３２】
〔追焚き運転時の熱媒加熱部への投入熱量制御〕
本発明にあっては、運転制御部Ｃは、追焚き運転の熱効率、特に、追焚き運転の初期の初期追焚き期間（例えば、追焚き運転開始から３０秒〜６０秒程度までの期間）における熱効率を向上するべく、図３に示すように、以下の制御を実行する。
風呂自動スイッチＳｗ２がＯＮされ、保温インターバル時間が経過し、目標湯張り温度から浴槽戻り温度を減算した値が追焚き判定閾値差（例えば、３ｄｅｇ）を超える場合、又は、追焚きスイッチＳｗ７がＯＮされた場合、投入熱量制御手段としての運転制御部Ｃは、熱媒加熱部Ｈ２への投入ガス流量を制御するガス比例弁Ｖ４を、通常追焚き期間（初期追焚き期間の後の追焚き運転時）よりも開き側へ制御して、熱媒加熱部Ｈ２への投入熱量を、通常追焚き期間の通常投入熱量（例えば、５ｋＷ）よりも多い投入熱量である初期投入熱量（例えば、１１ｋＷ）に制御する（♯０１）。
【００３３】
次に、追焚き効率導出手段としての運転制御部Ｃは、浴槽１０への出力熱量を、浴槽往きサーミスタＳ５の検出温度から浴槽戻りサーミスタＳ２の検出温度を減算した値に、浴槽水循環ポンプＰ１の回転数から計算される浴槽水循環流量を乗算して導出し、熱媒加熱部Ｈ２への投入熱量を、ガス比例弁Ｖ４の開度から導出し、追焚き効率を、出力熱量を投入熱量で除算する形態で、逐次導出する（♯０２）。
【００３４】
更に、投入熱量制御手段としての運転制御部Ｃは、逐次導出する追焚き効率の時間当たりの上昇率が、予め決定され記憶部（図示せず）に記憶される初期追焚き期間終了判定上昇率を下回るか否かを監視し（♯０２）、下回った時点で、初期追焚き期間を終了する。
投入熱量制御手段としての運転制御部Ｃは、初期追焚き期間が終了すると、熱媒加熱部Ｈへの投入熱量を、初期投入熱量から通常投入熱量へ切り換え、通常追焚き運転を開始する（♯０３）。
【００３５】
運転制御部Ｃは、浴槽戻りサーミスタＳ２の検出温度が、設定されている目標湯張り温度となるまでを通常追焚き期間として通常追焚き運転を実行し（♯０４）、目標湯張り温度以上となった以降は、熱媒加熱部Ｈ２を停止し、熱媒循環ポンプＰ２、及び浴槽水循環ポンプＰ１を順に停止する追焚き運転停止処理を実行し（♯０５）、追焚き運転を終了する。
【００３７】
〔別実施形態〕
（１）上記実施形態では、図２に示す並列運転の♯０５の制御において、運転制御部Ｃは、高温暖房運転に係る高温暖房端末ＨＵでの熱供給が不足しているか否かの判定を、高温暖房端末ＨＵの出口の温度に基づいて実行したが、別に、当該高温暖房端末ＨＵでの単位時間当たりの供給熱量に基づいて、当該制御を実行しても構わない。 
【００３８】
（２）上記実施形態では、図２に示す並列運転の♯１１の制御において、運転制御部Ｃは、追焚き運転に係る追焚き熱交換器ＥＸ５での熱供給が不足しているか否かの判定を、追焚き熱交換器ＥＸ５の出口の温度に基づいて実行したが、別に、当該追焚き熱交換器ＥＸ５での単位時間当たりの供給熱量に基づいて、当該制御を実行しても構わない。 
【００３９】
（３）上記実施形態では、バイパス流量調整手段として、運転制御部Ｃが、熱媒バイパス路Ｌ９に設けられるバイパス用熱動弁Ｖ１２の開度を制御する構成例を示した。
しかしながら、熱媒バイパス路Ｌ９にバイパス用熱動弁Ｖ１２を設けず、運転制御部Ｃが、直接、低温暖房用熱動弁Ｖ１３と高温暖房用熱動弁Ｖ１０と追焚き用熱動弁Ｖ８との弁開度を制御する形態で、バイパス流量を調整する構成を採用しても構わない。 
【００４０】
（４）上記実施形態において、「所定の第１判定閾値」は、一の値として、予め決定され記憶部（図示せず）に記憶されるものとしたが、当該「所定の第１判定閾値」は、一の値に固定されず、高温暖房としての浴室暖房乾燥機にて設定される目標設定温度に応じて可変の値に設定しておいても良い。この場合、目標設定温度が高いほど高い「所定の第１判定閾値」を設定可能に構成することが好ましい。 
【００４２】
（５）上記実施形態では、追焚き運転時の熱媒加熱部Ｈ２への投入熱量制御において、初期投入熱量での初期追焚き期間から、初期投入熱量よりも低い投入熱量である通常投入熱量での通常追焚き期間へ移行する時期の判定に関し、運転制御部Ｃは、図３の♯０２のステップに示すように、追焚き効率の時間当たりの上昇率が、予め記憶部に記憶された初期追焚き期間終了判定上昇率を下回ったときに、移行する例を示した。しかしながら、当該追焚き期間から通常追焚き期間への移行時期は、追焚き効率を用いなくても構わない。
例えば、運転制御部Ｃは、浴槽往きサーミスタＳ５の検出温度が予め記憶部に記憶された初期追焚き期間終了判定閾値を超えたとき、若しくは、浴槽往きサーミスタＳ５の検出温度の上昇率が、予め記憶部に記憶された初期追焚き期間終了判定上昇率を下回ったときに、初期追焚き期間から通常追焚き期間へ移行するように構成しても構わない。
【００４３】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００４４】
本発明の風呂装置は、間接加熱式の風呂装置において、追焚き運転の効率を改善することができる風呂装置を提供する風呂装置として、有効に利用可能である。
【符号の説明】
【００４５】
１０      ：浴槽
１００    ：風呂装置
Ｃ        ：運転制御部
ＥＸ３    ：主熱交換器
ＥＸ４    ：副熱交換器
ＥＸ５    ：追焚き熱交換器
Ｈ２      ：熱媒加熱部
【図１】
0006478556.tif 000002
【図２】
0006478556.tif 000003
【図３】
0006478556.tif 000004
【図４】
0006478556.tif 000005